(57)【特許請求の範囲】
【請求項１】
電柱の移設及び交替、及び経過地変更工事を無停電で施工する無停電配電工法であって、
死線状態で作業区間内の電柱の新設、装柱、及び電線架線工事を行って無停電準備作業を行う工程と、
作業区間の始点及び終点電柱（１０）の作業区間の内側に電線張力をかける絶縁活線張線器（２０）の電線クリップを撤去電線（１）に安全な死線作業区間が確保される地点にそれぞれ取り付ける工程と、
作業区間の始点及び終点電柱（１０）の作業区間内に取り付けられた絶縁活線張線器（２０）の電線クリップの外側撤去電線（１）にバイパスジャンパー手段（３０）の一端を連結し、作業区間の始点及び終点電柱（１０）の作業区間の外側旧電線（２）にバイパスジャンパー手段（３０）の他端を連結してバイパス連結する工程と、
作業区間の始点及び終点電柱（１０）のジャンパー線３を順次それぞれ分離し、絶縁活線張線器（２０）の電線クリップが取り付けられている地点で電柱（１０）側の径間内の撤去電線（１）をそれぞれ分離する工程と、
作業区間の始点電柱及び終点電柱（１０）の径間内の分離された地点から電柱（１０）側の懸垂碍子までの撤去電線（１）を撤去して安全な死線状態作業空間を確保し、新設電線（１１０）の延線及び緊線作業を行ってそれぞれ固定する工程と、
作業区間の始点及び終点電柱（１０）に架線された新設電線（１１０）のジャンパー線（１３０）を旧電線（２）に順次それぞれ取り付け、取り付けられたバイパスジャンパー手段（３０）を分離する工程と、
絶縁活線張線器（２０）の電線クリップが電線の張力をかけている撤去電線（１）及び電柱を撤去する工程とを遂行することを特徴とする、絶縁活線張線器とバイパスジャンパーケーブルを用いて電柱径間内電線を分離して死線状態で区間内作業を行う無停電配電工法。
【請求項２】
電柱の移設及び交替、及び経過地変更工事を無停電で施工する無停電配電工法であって、
作業区間内に分岐線路電柱（１００ａ）がある場合、
死線状態で作業区間内の電柱の新設、装柱、及び電線架線工事を行って無停電準備作業を行う工程と、
分岐線路電柱（１００ａ）がある作業区間の始点及び終点電柱（１０）の作業区間の内側に電線張力をかける絶縁活線張線器（２０）の電線クリップを撤去電線（１）に安全な死線作業区間が確保される地点にそれぞれ取り付ける工程と、
作業区間の始点及び終点電柱（１０）に取り付けられた絶縁活線張線器（２０）の電線クリップの外側撤去電線（１）にバイパスジャンパー手段（３０）の一端を連結し、作業区間の始点及び終点電柱（１０）の作業区間の外側旧電線（２）にバイパスジャンパー手段（３０）の他端を連結してバイパス連結する工程と、
作業区間の始点及び終点電柱（１０）のジャンパー線（３）を順次それぞれ分離し、絶縁活線張線器（２０）の電線クリップが取り付けられている地点で電柱（１０）側の径間内の撤去電線（１）をそれぞれ分離する工程と、
作業区間の始点電柱及び終点電柱（１０）の径間内の分離された地点から電柱（１０）側の懸垂碍子までの撤去電線（１）を撤去して安全な死線状態作業空間を確保し、新設電線（１１０）の延線及び緊線作業を行ってそれぞれ固定する工程と、
分岐線路電柱（１００ａ）の作業区間の内側に電線張力をかける絶縁活線張線器（２０）の電線クリップを撤去電線（１ａ）に安全な死線作業区間が確保される地点にそれぞれ取り付ける工程と、
分岐線路電柱（１００ａ）に取り付けられた絶縁活線張線器（２０）の電線クリップの外側撤去電線（１ａ）にバイパスジャンパー手段（３０）の一端を連結し、分岐線路電柱（１００ａ）の作業区間の外側旧電線（２）にバイパスジャンパー手段（３０）の他端を連結してバイパス連結する工程と、
分岐線路電柱（１００ａ）のジャンパー線（３ａ）を順次分離し、絶縁活線張線器（２０）の電線クリップが取り付けられている地点で分岐線路電柱（１００ａ）側の径間内の撤去電線（１ａ）をそれぞれ分離する工程と、
分岐線路電柱（１００ａ）の径間内の分離された地点から分岐線路電柱（１００ａ）側の懸垂碍子までの撤去電線（１ａ）を撤去して安全な死線状態作業空間を確保し、新設電線（１１０ａ）の延線及び緊線作業を行ってそれぞれ固定する工程と、
作業区間の始点及び終点電柱（１０）及び分岐線路電柱（１００ａ）に架線された新設電線（１１０、１１０ａ）のジャンパー線（１３０、１３０ａ）を旧電線（２、２ａ）に順次それぞれ連結し、取り付けられたバイパスジャンパー手段（３０）を分離する工程と、
絶縁活線張線器（２０）の電線クリップが電線の張力をかけている撤去電線（１、１ａ）及び電柱を撤去する工程とを遂行することを特徴とする、絶縁活線張線器とバイパスジャンパーケーブルを用いて電柱径間内電線を分離して死線状態で区間内作業を行う無停電配電工法。
【請求項３】
作業区間内に分岐線路が多数箇所にある場合、
分岐線路電柱（１００ａ）に絶縁活線張線器を設置する工程で、分岐線路新設電線（１１０ａ）の延線及び緊線作業を行って固定する工程を分岐線路の多数箇所数の分だけ繰り返し遂行することを特徴とする、請求項２に記載の絶縁活線張線器とバイパスジャンパーケーブルを用いて電柱径間内電線を分離して死線状態で区間内作業を行う無停電配電工法。
【請求項４】
電柱の移設及び交替、及び経過地変更工事を無停電で施工する無停電配電工法であって、
作業区間内に柱上変圧器柱（１０ｂ）がある場合、
死線状態で作業区間内の電柱の新設、装柱、及び電線架線工事を行って無停電準備作業を行う工程と、
作業区間の始点及び終点電柱（１０）の作業区間の内側に電線張力をかける絶縁活線張線器（２０）の電線クリップを撤去電線（１）に安全な死線作業区間が確保される地点にそれぞれ取り付ける工程と、
作業区間の始点及び終点電柱（１０）の作業区間内に取り付けられた絶縁活線張線器（２０）の電線クリップの外側撤去電線（１）にバイパスジャンパー手段（３０）の一端を連結し、作業区間の始点及び終点電柱（１０）の作業区間の外側旧電線（２）にバイパスジャンパー手段（３０）の他端を連結してバイパス連結する工程と、
作業区間の始点及び終点電柱（１０）のジャンパー線（３）を順次それぞれ分離し、絶縁活線張線器（２０）の電線クリップが取り付けられている地点で電柱（１０）側の径間内の撤去電線（１）をそれぞれ分離する工程と、
作業区間の始点電柱及び終点電柱（１０）の径間内に分離された地点から電柱（１０）側の懸垂碍子までの撤去電線（１）を撤去して安全な死線状態作業空間を確保し、新設電線（１１０）の延線及び緊線作業を行ってそれぞれ固定する工程と、
作業区間の始点及び終点電柱（１０）に架線された新設電線（１１０）の新設ジャンパー線（１３０）を旧電線（２）に順次それぞれ取り付ける工程と、
作業区間内の柱上変圧器柱（１０ｂ）に無停電変圧器装置（６０）を設置し、設置された柱上変圧器（５０）の２次低圧線（８０）に無停電変圧器装置（６０）の２次低圧ケーブル（７０ａ）を連結してバイパスさせた後、柱上変圧器（５０）の２次引下線（５２）を分離し、柱上変圧器ＣＯＳ（５１）を開放し、柱上変圧器（５０）を撤去する工程と、
新設電柱（１００ｂ）に撤去された柱上変圧器を再使用するかあるいは交替及び新設し、新設柱上変圧器（５０ａ）のＣＯＳ（５１ａ）を投入し、柱上変圧器（５０ａ）の２次引下線（５２ａ）を連結した後、無停電変圧器装置（６０）の電源を遮断し、無停電変圧器装置（６０）の低圧ケーブル（７０ａ）を分離し、作業区間内の柱上変圧器を交替及び新設して移設する工程と、
作業区間の始点及び終点電柱（１０）に取り付けられたバイパスジャンパー手段（３０）を分離し、作業区間の始点及び終点電柱（１０）の区間内の絶縁活線張線器の電線クリップが電線の張力をかけている撤去電線（１）と電柱及び無停電変圧器装置（６０）を撤去する工程とを遂行することを特徴とする、絶縁活線張線器とバイパスジャンパーケーブルを用いて電柱径間内電線を分離して死線状態で区間内作業を行う無停電配電工法。
【請求項５】
作業区間内に柱上変圧器柱（１０ｂ）が多数箇所にある場合、
作業区間内の柱上変圧器柱（１０ｂ）に無停電変圧器装置（６０）を設置する工程で、新設電柱（１００ｂ）に撤去された柱上変圧器を再使用するかあるいは交替及び新設し、無停電で移設する工程を柱上変圧器柱（１０ｂ）の多数箇所数の分だけ繰り返し遂行することを特徴とする、請求項４に記載の絶縁活線張線器とバイパスジャンパーケーブルを用いて電柱径間内電線を分離して死線状態で区間内作業を行う無停電配電工法。
【請求項６】
電柱の移設及び交替、及び経過地変更工事を無停電で施工する無停電配電工法であって、
作業区間内に分岐線路電柱（１００ａ）及び柱上変圧器柱（１０ｂ）がある場合、
死線状態で作業区間内の電柱の新設、装柱、及び電線架線工事を行って無停電準備作業を行う工程と、
分岐線路電柱（１００ａ）がある作業区間の始点及び終点電柱（１０）の作業区間の内側に電線の張力をかける絶縁活線張線器（２０）の電線クリップを撤去電線（１）に安全な死線作業区間が確保される地点にそれぞれ取り付ける工程と、
作業区間の始点及び終点電柱（１０）に取り付けられた絶縁活線張線器（２０）の電線クリップの外側撤去電線（１）にバイパスジャンパー手段（３０）の一端を連結し、作業区間の始点及び終点電柱（１０）の作業区間の外側旧電線（２）にバイパスジャンパー手段（３０）の他端を連結してバイパス連結する工程と、
作業区間の始点及び終点電柱（１０）のジャンパー線（３）を順次それぞれ分離し、絶縁活線張線器（２０）の電線クリップが取り付けられている地点で電柱（１０）側の径間内の撤去電線（１）をそれぞれ分離する工程と、
作業区間の始点電柱及び終点電柱（１０）の径間内の分離された地点から電柱（１０）側の懸垂碍子までの撤去電線（１）を撤去して安全な死線状態作業空間を確保し、新設電線（１１０）の延線及び緊線作業を行ってそれぞれ固定する工程と、
分岐線路電柱（１００ａ）の作業区間の内側に電線張力をかける絶縁活線張線器（２０）の電線クリップを撤去電線（１ａ）に安全な死線作業区間が確保される地点にそれぞれ取り付ける工程と、
分岐線路電柱（１００ａ）に取り付けられた絶縁活線張線器（２０）の電線クリップの外側撤去電線（１ａ）にバイパスジャンパー手段（３０）の一端を連結し、分岐線路電柱（１００ａ）の作業区間の外側旧電線（２）にバイパスジャンパー手段（３０）の他端を連結してバイパス連結する工程と、
分岐線路電柱（１００ａ）のジャンパー線（３ａ）を順次分離して絶縁活線張線器（２０）の電線クリップが取り付けられている地点で分岐線路電柱（１００ａ）側の径間内の撤去電線（１ａ）をそれぞれ分離する工程と、
分岐線路電柱（１００ａ）の径間内の分離された地点から分岐線路電柱（１００ａ）側の懸垂碍子までの撤去電線（１ａ）を撤去して安全な死線状態作業空間を確保し、新設電線（１１０ａ）の延線及び緊線作業を行ってそれぞれ固定する工程と、
作業区間の始点及び終点電柱（１０）及び分岐線路電柱（１００ａ）に架線された新設電線（１１０、１１０ａ）の新設ジャンパー線（１３０、１３０ａ）を旧電線（２、２ａ）に順次それぞれ連結する工程と、
作業区間内の柱上変圧器柱（１０ｂ）に無停電変圧器装置（６０）を設置し、設置された柱上変圧器（５０）の２次低圧線（８０）に無停電変圧器装置（６０）の２次低圧ケーブル（７０ａ）を連結してバイパスさせた後、柱上変圧器（５０）の２次引下線（５２）を分離し、柱上変圧器ＣＯＳ（５１）を開放し、柱上変圧器（５０）を撤去する工程と、
新設電柱（１００ｂ）に撤去された柱上変圧器を再使用するかあるいは交替及び新設し、新設柱上変圧器（５０ａ）のＣＯＳ（５１ａ）を投入し、柱上変圧器（５０ａ）の２次引下線（５２ａ）を連結した後、無停電変圧器装置（６０）の電源を遮断し、無停電変圧器装置（６０）の低圧ケーブル（７０ａ）を分離して作業区間内の柱上変圧器を交替及び移設する工程と、
作業区間の始点及び終点電柱（１０）及び分岐線路電柱（１００ａ）に取り付けられたバイパスジャンパー手段（３０）を分離し、作業区間の始点及び終点電柱（１０）及び分岐線路電柱（１００ａ）の区間内の絶縁活線張線器の電線クリップが電線の張力をかけている撤去電線（１、１ａ）と電柱及び無停電変圧器装置（６０）を撤去する工程とを遂行することを特徴とする、絶縁活線張線器とバイパスジャンパーケーブルを用いて電柱径間内電線を分離して死線状態で区間内作業を行う無停電配電工法。
【請求項７】
バイパスジャンパー手段（３０）としては単一線を成すバイパスジャンパーケーブル（３０ａ）を適用し、バイパスジャンパーケーブル（３０ａ）で３相の各相に対して撤去電線（１）と旧電線（２）を連結し、３相のうち単相ずつ又は３相を同時に作業することができるようにするか、
バイパスジャンパー手段（３０）としては３相の開閉が同時に可能な工事用開閉器（３０ｂ）を適用し、３相の各相に対して撤去電線（１）と旧電線（２）を工事用開閉器（３０ｂ）と連結される開閉器用端末ケーブル（３０ｃ）で連結し、工事用開閉器（３０ｂ）を３相のうち単相ずつ又は３相を同時開閉して作業することができるようにすることを特徴とする、請求項１、２、４及び６のいずれか一項に記載の絶縁活線張線器とバイパスジャンパーケーブルを用いて電柱径間内電線を分離して死線状態で区間内作業を行う無停電配電工法。
【発明の詳細な説明】
【技術分野】
【０００１】
本発明は配電線路無停電配電工法に係り、より詳しくは無停電作業を行うにあたり、無理な作業による安全事故を予め防止し、過多な装備及び人力の投入による現場の交通障害などを予防しながらも多様な現場条件に対応することができるようにするなど、作業能率の向上をもたらすための絶縁活線張線器とバイパスジャンパーケーブルを用いて電柱径間内電線を分離して死線状態で区間内作業を行う無停電配電工法に関する。
【背景技術】
【０００２】
電力需要の急増につれて、これに対応する電力設備がずっと拡充されており、電力使用者の電気品質に対する要求水準が高くなるにつれて瞬間の停電も請願の対象になって補償請求などの電気使用者の集団行動と訴訟事例が増加している実情であり、配電工事時に良質の電力供給のために電力を遮断しなかった状態で工事を遂行する無停電工法が行われている。
【０００３】
このような従来の特高圧配電線路無停電工法の一つであるバイパスケーブルを用いた臨時送電工法を用いているが、これは特高圧３相を工事用開閉器及び３相バイパスケーブルを用い、５０ｍごとに中間接続材を用いて臨時に接続し、作業区間に変圧器がある場合には変圧器の設置箇所ごとに分岐接続材から分岐してそれぞれの無停電変圧器装置に供給し、分岐線路がある場合には分岐接続材を使って分岐線路に供給して１回作業区間が２００〜３００ｍ程度で作業が行われて来た。
【０００４】
しかし、これは電圧降下など、不安定な臨時接続箇所が多く、３相バイパスケーブルを臨時に地上に敷設し、作業完了後に再び撤去するなど、付帯作業による作業時間が長くかかり、電線移線器具を用いた無停電配電工法及びその他の直接活線作業の際に作業区間の両側に電線の延線後の緊線作業の際、活線状態の３本の電線と死線状態の３本の電線が混在して混触及び混同による安全事故の危険に露出されており、活線専攻労組員を中心に直接活線を忌避する趨勢であり、新しい工法及び代替技術なしに直接活線工法である電線移線器具を用いた無停電工法の活用が中断され、重負荷線路の場合は負荷の切替えが不可能であるため、既存のバイパスケーブル工法による無停電作業が不可能であって発注された工事の取消し又は停電作業による作業停電の増加、国民生活の不便及び請願などの問題が発生している。
【先行技術文献】
【特許文献】
【０００５】
【特許文献１】韓国特許登録第１０−１１２２４９９号公報
【発明の概要】
【発明が解決しようとする課題】
【０００６】
本発明は前記のような諸般問題点を解決するために創案されたもので、現場でバイパスケーブルを敷設せずに作業区間の始点と終点の電柱で無理に直接活線で無停電作業を行って発生する安全事故を画期的に減らし、経済性、現場活用性を向上させるなどの効率的な無停電配電作業を可能にするための絶縁活線張線器とバイパスジャンパーケーブルを用いて電柱径間内電線を分離して死線状態で区間内作業を行う無停電配電工法を提供することに本発明の目的があるものである。
【０００７】
また、新設される電線と撤去される新旧電線をバイパスさせて作業する直接送電工法で作業工程を適用することにより、作業が単純であり、重負荷線路の場合、負荷の切替えをしない直接送電無停電工法で作業区間内に変圧器が多数箇所にある場合にも無停電変圧器装置１台で無停電作業が可能であるので、複雑な都心地である市内地域での工法適用が容易であり、交通障害、歩行者通行危険の防止、作業上の便利さと安全性及び経済性の向上をもたらすための絶縁活線張線器とバイパスジャンパーケーブルを用いて電柱径間内電線を分離して死線状態で区間内作業を行う無停電配電工法を提供することに本発明の他の目的があるものである。
【課題を解決するための手段】
【０００８】
前記目的を達成するための具体的な手段としては、電柱の移設及び交替、及び経過地変更工事を無停電で施工しようとする場合、
【０００９】
死線状態で作業区間内の電柱の新設、装柱、及び電線架線工事を行って無停電準備作業を行う工程と、
【００１０】
作業区間の始点及び終点電柱の作業区間の内側に電線張力をかける絶縁活線張線器の電線クリップを撤去電線の安全な死線作業区間が確保される地点にそれぞれ取り付ける工程と、
【００１１】
作業区間の始点及び終点電柱の作業区間内に取り付けられた絶縁活線張線器の電線クリップの外側撤去電線にバイパスジャンパー手段の一端を連結し、作業区間の始点及び終点電柱の作業区間の外側旧電線にバイパスジャンパー手段の他端を連結してバイパス連結する工程と、
【００１２】
作業区間の始点及び終点電柱のジャンパー線を順次それぞれ分離し、絶縁活線張線器の電線クリップが取り付けられている地点で電柱側の径間内の撤去電線をそれぞれ分離する工程と、
【００１３】
作業区間の始点電柱及び終点電柱の径間内の電線が分離された地点から電柱側の懸垂碍子までの撤去電線を撤去して安全な死線状態作業空間を確保し、新設電線の延線及び緊線作業を行ってそれぞれ固定する工程と、
【００１４】
作業区間の始点及び終点電柱に架線された新設電線のジャンパー線を旧電線に順次それぞれ連結し、取り付けられたバイパスジャンパー手段を分離する工程と、
【００１５】
絶縁活線張線器の電線クリップが電線の張力をかけている撤去電線及び電柱を撤去する工程とを遂行し、
【００１６】
作業区間内に分岐線路電柱がある場合、
【００１７】
死線状態で作業区間内の電柱の新設、装柱、及び電線架線工事を行って無停電準備作業を行う工程と、
【００１８】
分岐線路電柱がある作業区間の始点及び終点電柱の作業区間の内側に電線張力をかける絶縁活線張線器の電線クリップを撤去電線の安全な死線作業区間が確保される地点にそれぞれ取り付ける工程と、
【００１９】
作業区間の始点及び終点電柱に取り付けられた絶縁活線張線器の電線クリップの外側撤去電線にバイパスジャンパー手段の一端を連結し、作業区間の始点及び終点電柱の作業区間の外側旧電線にバイパスジャンパー手段の他端を連結してバイパス連結する工程と、
【００２０】
作業区間の始点及び終点電柱のジャンパー線を順次それぞれ分離し、絶縁活線張線器の電線クリップが取り付けられている地点で電柱側の径間内の撤去電線をそれぞれ分離する工程と、
【００２１】
作業区間の始点電柱及び終点電柱の径間内の電線が分離された地点から電柱側の懸垂碍子までの撤去電線を撤去して安全な死線状態作業空間を確保し、新設電線の延線及び緊線作業を行ってそれぞれ固定する工程と、
【００２２】
分岐線路電柱作業区間の内側に電線張力をかける絶縁活線張線器の電線クリップを撤去電線の安全な死線作業区間が確保される地点にそれぞれ取り付ける工程と、
【００２３】
分岐線路電柱に取り付けられた絶縁活線張線器の電線クリップの外側撤去電線にバイパスジャンパー手段の一端を連結し、分岐線路電柱の作業区間の外側旧電線にバイパスジャンパー手段の他端を連結してバイパス連結する工程と、
【００２４】
分岐線路電柱のジャンパー線を順次分離し、絶縁活線張線器の電線クリップが取り付けられている地点で分岐線路電柱側の径間内の撤去電線をそれぞれ分離する工程と、
【００２５】
分岐線路電柱の径間内の電線が分離された地点から分岐線路電柱側の懸垂碍子までの撤去電線を撤去して安全な死線状態作業空間を確保し、新設電線の延線及び緊線作業を行ってそれぞれ固定する工程と、
【００２６】
作業区間の始点及び終点電柱及び分岐線路電柱に架線された新設電線のジャンパー線を旧電線に順次それぞれ連結し、取り付けられたバイパスジャンパー手段を分離する工程と、
【００２７】
絶縁活線張線器の電線クリップが電線の張力をかけている撤去電線及び電柱を撤去する工程とを遂行し、
【００２８】
作業区間内に柱上変圧器柱がある場合、
【００２９】
死線状態で作業区間内の電柱の新設、装柱、及び電線架線工事を行って無停電準備作業を行う工程と、
【００３０】
作業区間の始点及び終点電柱の作業区間の内側に電線張力をかける絶縁活線張線器の電線クリップを撤去電線の安全な死線作業区間が確保される地点にそれぞれ取り付ける工程と、
【００３１】
作業区間の始点及び終点電柱の作業区間内に取り付けられた絶縁活線張線器の電線クリップの外側撤去電線にバイパスジャンパー手段の一端を連結し、作業区間の始点及び終点電柱の作業区間の外側旧電線にバイパスジャンパー手段の他端を連結してバイパス連結する工程と、
【００３２】
作業区間の始点及び終点電柱のジャンパー線を順次それぞれ分離し、絶縁活線張線器の電線クリップが取り付けられている地点で電柱側の径間内の撤去電線をそれぞれ分離する工程と、
【００３３】
作業区間の始点電柱及び終点電柱の径間内の電線が分離された地点から電柱側の懸垂碍子までの撤去電線を撤去して安全な死線状態作業空間を確保し、新設電線の延線及び緊線作業を行ってそれぞれ固定する工程と、
【００３４】
作業区間の始点及び終点電柱に架線された新設電線の新設ジャンパー線を旧電線に順次それぞれ連結する工程と、
【００３５】
作業区間内の柱上変圧器柱に無停電変圧器装置を設置し、設置された柱上変圧器２次低圧線に無停電変圧器装置の２次低圧ケーブルを連結してバイパスさせた後、柱上変圧器の２次引下線を分離し、柱上変圧器ＣＯＳを開放し、柱上変圧器を撤去する工程と、
【００３６】
新設電柱に撤去された柱上変圧器を再使用するか新設し、新設柱上変圧器ＣＯＳを投入し、柱上変圧器の２次引下線を連結した後、無停電変圧器装置の電源を遮断し、無停電変圧器装置の低圧ケーブルを分離して作業区間内の柱上変圧器を交替及び移設する工程と、
【００３７】
作業区間の始点及び終点電柱に取り付けられたバイパスジャンパー手段を分離し、作業区間の始点及び終点電柱の区間内絶縁活線張線器が電線の張力をかけている撤去電線と電柱及び無停電変圧器装置を撤去する工程とを遂行することによって達成することができるものである。
【発明の効果】
【００３８】
以上のように、本発明による絶縁活線張線器とバイパスジャンパーケーブルを用いて電柱径間内電線を分離して死線状態で区間内作業を行う無停電配電工法は、現場で作業区間の始点電柱及び終点電柱の無停電作業を除き、死線対備工事が完了した状態で従来技術であるバイパスケーブル工法を用いて無停電作業を行う場合、既に工事が準備された区間にも安全のためにバイパスケーブルを敷設して無停電工事を行わなければならないが、作業能率及び現場活用性が落ちるから、現場でバイパスケーブルを敷設しないで作業区間の始点及び終点電柱で無理に直接活線で無停電作業を行うことによって発生する安全事故を画期的に減らし、経済性、現場活用性を向上させることができ、
【００３９】
バイパスケーブルの中間に中間接続を無くし、バイパスケーブル分岐接続材を使わないし、本発明の技術は新設される電線と撤去される新旧電線をバイパスさせて作業する直接送電工法であり、作業工程が単純であり、重負荷線路の場合、負荷の切替えをしない直接送電無停電工法によって、作業区間内に変圧器が多数箇所にある場合にも無停電変圧器装置１台で無停電作業が可能であるので、複雑な都心地である市内地域での工法の適用が容易であり、交通障害、歩行者通行危険の防止、作業上の便利さと安全性及び経済性が向上する効果を得ることができるものである。
【図面の簡単な説明】
【００４０】
【図１】本発明による絶縁活線張線器とバイパスジャンパーケーブルを用いて電柱径間内電線を分離して死線状態で区間内作業を行う無停電配電工法の第１実施例による簡略図である。
【図２】本発明による絶縁活線張線器とバイパスジャンパーケーブルを用いて電柱径間内電線を分離して死線状態で区間内作業を行う無停電配電工法の第１実施例による簡略図である。
【図３】本発明による絶縁活線張線器とバイパスジャンパーケーブルを用いて電柱径間内電線を分離して死線状態で区間内作業を行う無停電配電工法の第１実施例による簡略図である。
【図４】本発明による絶縁活線張線器とバイパスジャンパーケーブルを用いて電柱径間内電線を分離して死線状態で区間内作業を行う無停電配電工法の第１実施例による簡略図である。
【図５】本発明による絶縁活線張線器とバイパスジャンパーケーブルを用いて電柱径間内電線を分離して死線状態で区間内作業を行う無停電配電工法の第１実施例による簡略図である。
【図６】本発明による絶縁活線張線器とバイパスジャンパーケーブルを用いて電柱径間内電線を分離して死線状態で区間内作業を行う無停電配電工法の第１実施例による簡略図である。
【図７】本発明による絶縁活線張線器とバイパスジャンパーケーブルを用いて電柱径間内電線を分離して死線状態で区間内作業を行う無停電配電工法の第２実施例による簡略図である。
【図８】本発明による絶縁活線張線器とバイパスジャンパーケーブルを用いて電柱径間内電線を分離して死線状態で区間内作業を行う無停電配電工法の第２実施例による簡略図である。
【図９】本発明による絶縁活線張線器とバイパスジャンパーケーブルを用いて電柱径間内電線を分離して死線状態で区間内作業を行う無停電配電工法の第２実施例による簡略図である。
【図１０】本発明による絶縁活線張線器とバイパスジャンパーケーブルを用いて電柱径間内電線を分離して死線状態で区間内作業を行う無停電配電工法の第２実施例による簡略図である。
【図１１】本発明による絶縁活線張線器とバイパスジャンパーケーブルを用いて電柱径間内電線を分離して死線状態で区間内作業を行う無停電配電工法の第２実施例による簡略図である。
【図１２】本発明による絶縁活線張線器とバイパスジャンパーケーブルを用いて電柱径間内電線を分離して死線状態で区間内作業を行う無停電配電工法の第２実施例による簡略図である。
【図１３】本発明による絶縁活線張線器とバイパスジャンパーケーブルを用いて電柱径間内電線を分離して死線状態で区間内作業を行う無停電配電工法の第３実施例による簡略図である。
【図１４】本発明による絶縁活線張線器とバイパスジャンパーケーブルを用いて電柱径間内電線を分離して死線状態で区間内作業を行う無停電配電工法の第３実施例による簡略図である。
【図１５】本発明による絶縁活線張線器とバイパスジャンパーケーブルを用いて電柱径間内電線を分離して死線状態で区間内作業を行う無停電配電工法の第３実施例による簡略図である。
【図１６】本発明による絶縁活線張線器とバイパスジャンパーケーブルを用いて電柱径間内電線を分離して死線状態で区間内作業を行う無停電配電工法の第３実施例による簡略図である。
【図１７】本発明による絶縁活線張線器とバイパスジャンパーケーブルを用いて電柱径間内電線を分離して死線状態で区間内作業を行う無停電配電工法の第３実施例による簡略図である。
【図１８】本発明による絶縁活線張線器とバイパスジャンパーケーブルを用いて電柱径間内電線を分離して死線状態で区間内作業を行う無停電配電工法の第３実施例による簡略図である。
【図１９】本発明による絶縁活線張線器とバイパスジャンパーケーブルを用いて電柱径間内電線を分離して死線状態で区間内作業を行う無停電配電工法の第３実施例による簡略図である。
【図２０】本発明による絶縁活線張線器とバイパスジャンパーケーブルを用いて電柱径間内電線を分離して死線状態で区間内作業を行う無停電配電工法の第３実施例による簡略図である。
【図２１】本発明による絶縁活線張線器とバイパスジャンパーケーブルを用いて電柱径間内電線を分離して死線状態で区間内作業を行う無停電配電工法の第４実施例による簡略図である。
【図２２】本発明による絶縁活線張線器とバイパスジャンパーケーブルを用いて電柱径間内電線を分離して死線状態で区間内作業を行う無停電配電工法の第４実施例による簡略図である。
【図２３】本発明による絶縁活線張線器とバイパスジャンパーケーブルを用いて電柱径間内電線を分離して死線状態で区間内作業を行う無停電配電工法の第４実施例による簡略図である。
【図２４】本発明による絶縁活線張線器とバイパスジャンパーケーブルを用いて電柱径間内電線を分離して死線状態で区間内作業を行う無停電配電工法の第４実施例による簡略図である。
【図２５】本発明による絶縁活線張線器とバイパスジャンパーケーブルを用いて電柱径間内電線を分離して死線状態で区間内作業を行う無停電配電工法の第４実施例による簡略図である。
【図２６】本発明による絶縁活線張線器とバイパスジャンパーケーブルを用いて電柱径間内電線を分離して死線状態で区間内作業を行う無停電配電工法の第４実施例による簡略図である。
【図２７】本発明による絶縁活線張線器とバイパスジャンパーケーブルを用いて電柱径間内電線を分離して死線状態で区間内作業を行う無停電配電工法の第４実施例による簡略図である。
【図２８】本発明による絶縁活線張線器とバイパスジャンパーケーブルを用いて電柱径間内電線を分離して死線状態で区間内作業を行う無停電配電工法の第４実施例による簡略図である。
【図２９】本発明による絶縁活線張線器とバイパスジャンパーケーブルを用いて電柱径間内電線を分離して死線状態で区間内作業を行う無停電配電工法の他の実施例による簡略図である。
【発明を実施するための形態】
【００４１】
本明細書及び請求項に使用された用語や単語は通常的又は辞書的な意味に限定して解釈されてはいけなく、発明者は自分の発明を最良の方法で説明するために用語の概念を適切に定義することができるという原則に即して本発明の技術的思想に合う意味と概念に解釈されなければならない。
【００４２】
したがって、本明細書に記載された実施例と図面に示された構成は本発明の最も好ましい一実施例に過ぎないだけであり、本発明の技術的思想を全て代弁するものではないので、本出願の時点でこれらを取り替えることができる多様な均等物と変形例があり得ることを理解しなければならない。
【００４３】
以下、本発明の好適な実施例を添付図面に基づいて詳細に説明する。
【００４４】
本発明による絶縁活線張線器とバイパスジャンパーケーブルを用いて電柱径間内電線を分離して死線状態で区間内作業を行う無停電配電工法は、電柱の移設及び交替、及び経過地変更工事を無停電で施工しようとする場合、多様な実施例によって無停電状態での施工が可能なものであり、多様な実施例によって可能になるものである。以下でこれを説明する。
【００４５】
実施例１
図１の図示のように、電柱の移設及び交替、及び経過地変更工事の場合
電柱の移設及び交替、及び経過地変更工事の無停電作業の際、通常的に作業区間の始点電柱及び終点電柱の無停電作業を除き、死線状態で作業区間内の電柱の新設、装柱、及び電線架線工事を行って対備作業を行って無停電作業を準備する。
【００４６】
ここで、無停電作業を行うに当たり、図２の図示のように、作業区間の始点及び終点電柱１０の作業区間の内側に電線張力をかける絶縁活線張線器２０の電線クリップを撤去電線の安全な死線作業区間が確保される地点にそれぞれ設置し、設置が完了すれば、絶縁活線張線器２０の電線クリップの外側電線にバイパスジャンパー手段３０の一端を連結し、作業区間の始点及び終点電柱１０の作業区間の外側電線にバイパスジャンパー手段３０の他端を連結してバイパス連結し、図３の図示のように、作業区間の始点及び終点電柱１０のジャンパー線３をそれぞれ順次分離した後、図４の図示のように、絶縁活線張線器２０の電線クリップが付いている地点で電柱側の径間内電線などを分離して安全な死線作業区間を作り、分離された電線から電柱側の懸垂碍子までの電線などを死線状態で除去し、新設電線１１０の延線及び緊線作業が行える安全な死線作業区間を確保する。
【００４７】
図５の図示のように、作業区間の始点及び終点電柱１０で死線状態で電柱の新設などを完了し、新設電線１１０の延線及び緊線作業を行ってそれぞれ固定し、作業区間の始点及び終点電柱１０に延線及び緊線作業が完了した新設電線１１０のジャンパー線１３０を旧電線２に順次バイパス連結し、図６の図示のように、作業区間の始点及び終点電柱１０の区間内電柱に取り付けられたバイパスジャンパー手段３０を分離した後、死線状態で絶縁活線張線器の電線クリップが電線の張力をかけている撤去電線１及び電柱を死線状態で撤去する工程を遂行することにより、電柱の移設及び交替、及び経過地変更工事の無停電作業を達成することができるものである。
【００４８】
実施例２
図７の図示のように、作業区間内に分岐線路電柱１００ａがある場合
死線状態で電柱の新設、装柱、及び電線架線工事を行って無停電準備作業をし、図７の図示のように、作業区間の始点及び終点電柱１０の作業区間の内側に電線張力をかける絶縁活線張線器２０の電線クリップを撤去電線の安全な死線作業区間が確保される地点にそれぞれ取り付け、設置が完了すれば、図８の図示のように、作業区間の径間内絶縁活線張線器２０の電線クリップの外側電線にバイパスジャンパー手段３０の一端を連結し、作業区間の始点及び終点電柱１０の作業区間の外側電線にバイパスジャンパー手段３０の他端を連結してバイパス連結し、図９の図示のように、作業区間の始点及び終点電柱１０のジャンパー線３を分離した後、図１０の図示のように、絶縁活線張線器２０の電線クリップが取り付けられている地点で電柱側径間内電線をそれぞれ分離して安全な死線作業区間を作り、分離された電線から電柱側の懸垂碍子までの電線を死線状態で撤去して障害要素をそれぞれ除去し、新設電線１１０の延線及び緊線作業を行うべき安全な死線作業区間を始点及び終点電柱１０にそれぞれ確保する。
【００４９】
作業区間内電柱を新設し、始点及び終点電柱１０で死線状態で新設電線１１０の延線及び緊線作業を行ってそれぞれ固定し、図１１の図示のように、作業区間電柱などを新設し、始点及び終点電柱１０で延線及び緊線作業が完了した新設電線１１０のジャンパー線１３０を旧電線２に順次バイパス連結し、
【００５０】
図７の図示のように、作業区間内の分岐線路電柱１００ａの作業区間の内側に電線張力をかける絶縁活線張線器２０の電線クリップを撤去電線１ａの安全な死線作業区間が確保される地点にそれぞれ取り付け、設置が完了すれば、図８の図示のように、作業区間の径間内絶縁活線張線器２０の電線クリップの外側電線にバイパスジャンパー手段３０の一端を連結し、分岐線路電柱１００ａの作業区間の外側電線にバイパスジャンパー手段３０の他端を連結してバイパス連結し、図９の図示のように、分岐線路電柱１００ａのジャンパー線３ａを分離した後、図１０の図示のように、絶縁活線張線器２０の電線クリップが取り付けられている地点で電柱側径間内電線をそれぞれ分離して安全な死線作業区間を作り、分離された電線から電柱側の懸垂碍子までの電線などを死線状態で除去し、新設電線１１０ａの延線及び緊線作業を行うべき安全な死線作業区間を分岐線路電柱１００ａにそれぞれ確保する。
【００５１】
分岐線路電柱１００ａで死線状態で新設電線１１０ａの延線及び緊線作業を行ってそれぞれ固定して連結し、図１１の図示のように、作業区間分岐線路電柱１００ａで延線及び緊線作業が完了した新設電線１１０ａのジャンパー線１３０ａを分岐線路の旧電線２ａに順次バイパス連結し、図１２の図示のように、作業区間の始点及び終点電柱１０及び分岐線路電柱１００ａの区間内電柱に取り付けられたバイパスジャンパー手段３０をそれぞれ順次分離した後、死線状態で絶縁活線張線器の電線クリップが電線の張力をかけている撤去電線１、１ａ及び電柱を死線状態で撤去する工程を遂行することにより、電柱の移設及び交替、及び経過地変更工事の際、作業区間内に分岐線路電柱１００ａがある場合の無停電作業を達成することができるものである。
【００５２】
実施例３
図１３の図示のように、作業区間内に柱上変圧器柱１０ｂがある場合
死線状態で作業区間内の電柱の新設、装柱、及び電線架線工事を行って無停電準備作業を行い、図１３の図示のように、作業区間内の始点及び終点電柱１０の作業区間の内側に電線張力をかける絶縁活線張線器２０の電線クリップを撤去電線の安全な死線作業区間が確保される地点にそれぞれ取り付け、図１４の図示のように、絶縁活線張線器２０の取付けが完了すれば、絶縁活線張線器２０の電線クリップの外側電線にバイパスジャンパー手段３０の一端を連結し、作業区間の始点及び終点電柱１０の作業区間の外側電線にバイパスジャンパー手段３０の他端を連結してバイパス連結し、図１５の図示のように、作業区間の始点及び終点電柱１０のジャンパー線３を分離した後、図１６の図示のように、絶縁活線張線器２０の電線クリップが取り付けられている電柱側の径間内電線をそれぞれ分離して安全な死線作業区間を作り、分離された電線から電柱側の懸垂碍子までの電線などを死線状態で除去し、死線状態で電柱の新設と新設電線１１０の延線及び緊線作業を行うべき安全な死線作業区間を始点及び終点電柱１０にそれぞれ確保する。
【００５３】
図１７の図示のように、作業区間の始点及び終点電柱１０で死線状態で電柱の新設及び新設電線１１０の延線及び緊線作業を行ってそれぞれ固定し、図１７の図示のように、作業区間の始点及び終点電柱１０で延線及び緊線作業が完了した新設電線１１０のジャンパー線１３０を旧電線２に順次バイパス連結した状態で、
【００５４】
図１８の図示のように、作業区間内の柱上変圧器柱１０ｂに無停電変圧器装置６０を設置し、設置された柱上変圧器５０の２次低圧線８０に無停電変圧器装置の２次低圧ケーブル７０ａを連結してバイパスさせた後、図１９の図示のように、柱上変圧器５０の２次引下線５２を分離し、柱上変圧器ＣＯＳ  ５１を開放し、柱上変圧器５０を撤去して再使用するかあるいは新設及び交替して新設電柱１００ｂに設置し、新設柱上変圧器５０ａのＣＯＳ  ５１ａを投入し、変圧器の２次引下線５２ａを連結し、無停電変圧器装置６０を遮断し、無停電変圧器装置６０の低圧ケーブル７０ａを分離することで、作業区間内の変圧器を無停電で新設及び移設する作業を完了する。
【００５５】
ここで、作業区間内の多数箇所に柱上変圧器柱５０がある場合は、柱上変圧器５０の移設工程を多数箇所数の分だけ繰り返し行って作業区間内の柱上変圧器の交替及び移設を完了した後、図２０の図示のように、作業区間の始点及び終点電柱１０の区間内電柱に取り付けられたバイパスジャンパー手段３０を分離した後、死線状態で絶縁活線張線器の電線クリップが電線の張力をかけている撤去電線１と電柱及び無停電変圧器装置６０を撤去する工程を遂行することで、電柱の移設及び交替、及び経過地変更工事時に作業区間内に変圧器柱がある場合の無停電作業を達成することができるものである。
【００５６】
実施例４
図２１の図示のように、作業区間内に分岐線路電柱１００ａと柱上変圧器柱１０ｂがある場合
死線状態で電柱の新設、装柱、及び電線架線工事を行って無停電準備作業を行い、図２２の図示のように、作業区間の始点及び終点電柱１０及び分岐線路電柱１００ａの作業区間の内側に電線張力をかける絶縁活線張線器２０の電線クリップを撤去電線の安全な死線作業区間が確保される地点にそれぞれ取り付け、取付けが完了すれば、絶縁活線張線器２０の電線クリップの外側電線にバイパスジャンパー手段３０の一端を連結し、作業区間の始点及び終点電柱１０及び分岐線路電柱１００ａの作業区間の外側電線にバイパスジャンパー手段３０の他端を連結してバイパス連結し、図２３の図示のように、作業区間の始点及び終点電柱１０及び分岐線路電柱１００ａのジャンパー線３を分離した後、図２４の図示のように、絶縁活線張線器２０の電線クリップが取り付けられている電柱側の径間内電線をそれぞれ分離して安全な死線作業区間を作り、分離された電線から電柱側の懸垂碍子までの電線を死線状態で撤去して障害要素をそれぞれ除去し、新設電線１１０、１１０ａの延線及び緊線作業を行うべき安全な死線作業区間を始点及び終点電柱１０及び分岐線路電柱１００ａに確保する。
【００５７】
図２５の図示のように、作業区間の始点及び終点電柱１０及び分岐線路電柱１００ａに死線状態で新設電線１１０、１１０ａの延線及び緊線作業を行ってそれぞれ固定し、作業区間の始点及び終点電柱１０及び分岐線路電柱１００ａで延線及び緊線作業が完了した新設電線１１０、１１０ａのジャンパー線１３０を旧電線２に順次バイパス連結した状態で、
【００５８】
図２６の図示のように、作業区間内の柱上変圧器柱１０ｂに無停電変圧器装置６０を設置し、柱上変圧器５０２の次低圧線８０に無停電変圧器装置６０の２次低圧ケーブル７０ａを連結してバイパスさせた後、柱上変圧器５０の２次引下線５２を分離し、柱上変圧器ＣＯＳ  ５１を開放し、図２７の図示のように、柱上変圧器５０を撤去して再使用するかあるいは新設及び交替して新設電柱１００ｂに設置し、新設柱上変圧器５０ａのＣＯＳ  ５１ａを投入し、新設柱上変圧器５０ａの２次引下線５２ａを連結し、無停電変圧装置６０を遮断し、無停電変圧器装置の低圧ケーブル７０ａを分離することで、作業区間内の変圧器を無停電で交替及び移設する作業を完了する。
【００５９】
ここで、作業区間内の多数箇所に柱上変圧器柱がある場合は、柱上変圧器の交替及び移設工程を多数箇所数の分だけ繰り返し行って作業区間内の柱上変圧器の交替及び移設を完了した後、
【００６０】
図２８の図示のように、作業区間の始点及び終点電柱１０及び分岐線路電柱１００ａの区間内電柱に取り付けられたバイパスジャンパー手段３０をそれぞれ順次分離した後、死線状態で絶縁活線張線器が取っている撤去電線１、１ａと電柱及び無停電変圧器装置６０を死線状態で撤去する工程を遂行することで、電柱の移設及び交替、及び経過地変更工事時に作業区間内に分岐線路電柱１００ａ及び柱上変圧器柱１０ｂがある場合の無停電作業を達成することができるものである。
【００６１】
一方、本発明による絶縁活線張線器とバイパスジャンパーケーブルを用いて電柱径間内電線を分離して死線状態で区間内作業を行う無停電配電工法を遂行するに当たり、撤去電線１と旧電線２を連結するパイパスジャンパー手段３０は限定されるものではなく、多様に適用可能であろう。
【００６２】
よって、まず図１〜図２８を参照してバイパスジャンパー手段３０として単一線を成すバイパスジャンパーケーブル３０ａを適用する。このときには、バイパスジャンパーケーブル３０ａで３相の各相に当たる撤去電線１と旧電線２を互いに連結して適用することができるものであり、作業時に３相のうち単相ずつそれぞれ作業するか、あるいは３相を同時に作業することが可能であろう。
【００６３】
また、図２９の図示のように、バイパスジャンパー手段３０として３相の入力及び出力が同時に可能な工事用開閉器３０ｂを適用する。このときには、３相の各相に対して撤去電線１は開閉器用端末ケーブル３０ｃを用いて工事用開閉器３０ｂと連結し、３相の各相に対して旧電線２は他の開閉器用端末ケーブル３０ｃを用いて工事用開閉器３０ｂと連結することにより、作業時に３相のうち単相ずつそれぞれ作業するか、あるいは３相を同時に作業することが可能であろう。
【００６４】
すなわち、工事用開閉器３０ｂを適用するに当たり、単相ずつ作業するときには、図面に示されていないが、工事用開閉器３０ｂでは作業しようとする１相に対してのみ開放し、残りの２相に対しては閉鎖した状態で作業し、３相を同時に作業するときには工事用開閉器３０ｂで作業しようとする３相の全てを開放した状態で作業すれば良いであろう。
【符号の説明】
【００６５】
１    撤去電線
１ａ    分岐線路撤去電線
２    旧電線
２ａ    分岐線路の旧電線
３    ジャンパー線
３ａ    分岐線路のジャンパー線
１０    始点及び終点電柱
１０ｂ    柱上変圧器柱
２０    絶縁活線張線器
３０、３０ａ    バイパスジャンパーケーブル
３０ｂ    工事用開閉器
３０ｃ    開閉器用端末ケーブル
５０    柱上変圧器
５０ａ    新設電柱柱上変圧器
５１    ＣＯＳ
５１ａ    新設電柱ＣＯＳ
５２    変圧器２次引下線
５２ａ    新設変圧器２次引下線
６０    無停電変圧器装置
７０    特高圧ケーブル
７０ａ    低圧ケーブル
８０    ２次低圧線
８０ａ    新設電柱の２次低圧線
１００    新設電柱
１００ａ    分岐線路電柱
１００ｂ    新設柱上変圧器柱
１１０    新設電線
１１０ａ    分岐線路新設電線
１３０    新設電線のジャンパー線
１３０ａ    分岐線路新設電線のジャンパー線
【図１】
0006778879.tif 000002
【図２】
0006778879.tif 000003
【図３】
0006778879.tif 000004
【図４】
0006778879.tif 000005
【図５】
0006778879.tif 000006
【図６】
0006778879.tif 000007
【図７】
0006778879.tif 000008
【図８】
0006778879.tif 000009
【図９】
0006778879.tif 000010
【図１０】
0006778879.tif 000011
【図１１】
0006778879.tif 000012
【図１２】
0006778879.tif 000013
【図１３】
0006778879.tif 000014
【図１４】
0006778879.tif 000015
【図１５】
0006778879.tif 000016
【図１６】
0006778879.tif 000017
【図１７】
0006778879.tif 000018
【図１８】
0006778879.tif 000019
【図１９】
0006778879.tif 000020
【図２０】
0006778879.tif 000021
【図２１】
0006778879.tif 000022
【図２２】
0006778879.tif 000023
【図２３】
0006778879.tif 000024
【図２４】
0006778879.tif 000025
【図２５】
0006778879.tif 000026
【図２６】
0006778879.tif 000027
【図２７】
0006778879.tif 000028
【図２８】
0006778879.tif 000029
【図２９】
0006778879.tif 000030